(57)【要約】【課題】消費電力を制限する機能を有する表示装置において、複数の画像を順次表示する場合であって、複数の画像に消費電力の制限が必要となる画像が含まれる場合に、同一の階調値を持つ画素の表示輝度が画像間で変化することを抑える。【解決手段】画像の代表輝度が所定値より大きい場合に、表示部の最高輝度を抑えて消費電力を制限する制限制御を実行可能な表示システムにおいて、複数の画像が前記表示部に順次表示される場合であって、前記複数の画像が、代表輝度が前記所定値より大きい画像を含む場合に、前記制限制御が実行されることなく前記複数の画像を表示することができる前記表示部の最高輝度の設定値を決定する決定手段と、前記複数の画像を前記表示部で表示する際の前記表示部の最高輝度を、前記決定手段で決定された前記表示部の最高輝度の設定値に設定する設定手段と、を有する。【選択図】図１
2019109398.tif 000002
【特許請求の範囲】
【請求項１】
画像の代表輝度が所定値より大きい場合に、表示部の最高輝度を抑えて消費電力を制限する制限制御を実行可能な表示システムにおいて、
複数の画像が前記表示部に順次表示される場合であって、前記複数の画像が、代表輝度が前記所定値より大きい画像を含む場合に、前記制限制御が実行されることなく前記複数の画像を表示することができる前記表示部の最高輝度の設定値を決定する決定手段と、
前記複数の画像を前記表示部で表示する際の前記表示部の最高輝度を、前記決定手段で決定された前記表示部の最高輝度の設定値に設定する設定手段と、
を有することを特徴とする表示システム。
【請求項２】
前記代表輝度は、画像の平均輝度である
ことを特徴とする請求項１に記載の表示システム。
【請求項３】
各画像の代表輝度を算出して、前記複数の画像のなかで最も大きい代表輝度となる最大代表輝度を算出する算出手段を有し、
前記決定手段は、前記算出手段で算出された最大代表輝度に基づいて、前記表示部の最高輝度の設定値を決定する
ことを特徴とする請求項１又は２に記載の表示システム。
【請求項４】
画像の代表輝度が前記所定値より大きい場合に、前記画像の代表輝度に対して、前記制限制御が実行されることなく当該画像を表示することができる前記表示部の最高輝度の設定値が対応付けられた対応関係が予め設定され、
前記決定手段は、前記算出手段で算出された最大代表輝度から、前記対応関係を用いて、前記表示部の最高輝度の設定値を決定する
ことを特徴とする請求項３に記載の表示システム。
【請求項５】
画像の代表輝度が前記所定値より大きい場合に、前記画像の代表輝度に対して、前記制限制御が実行されることなく当該画像を表示することができる前記表示部の最高輝度の設定値が対応付けられた対応関係が予め設定され、
前記決定手段は、前記算出手段で算出された最大代表輝度から、前記対応関係を用いて、前記制限制御が実行されるかどうかを判断し、
前記制限制御が実行されると判断した場合には、前記算出手段で算出された最大代表輝度から、前記対応関係を用いて、前記表示部の最高輝度の設定値を決定し、
前記制限制御が実行されないと判断した場合には、前記表示部の最高輝度の設定値として、前記表示部が表示可能な最高輝度に決定する
ことを特徴とする請求項３に記載の表示システム。
【請求項６】
前記決定手段で決定された前記表示部の最高輝度の設定値は、前記決定手段から前記設定手段に対して出力される画像信号に、メタデータとして重畳される
ことを特徴とする請求項１乃至５のいずれか１項に記載の表示システム。
【請求項７】
複数の画像を蓄積する蓄積部を有し、
前記蓄積部に蓄積された複数の画像を前記表示部で表示する
ことを特徴とする請求項１乃至６のいずれか１項に記載の表示システム。
【請求項８】
画像の代表輝度が所定値より大きい場合に、表示部の最高輝度を抑えて消費電力を制限する制限制御を実行可能な表示装置を用いた表示方法において、
複数の画像が前記表示部に順次表示される場合であって、前記複数の画像が、代表輝度が前記所定値より大きい画像を含む場合に、前記制限制御が実行されることなく前記複数
の画像を表示することができる前記表示部の最高輝度の設定値を決定する決定ステップと、
前記複数の画像を前記表示部で表示する際の前記表示部の最高輝度を、前記決定ステップで決定された前記表示部の最高輝度の設定値に設定する設定ステップと、
を含むことを特徴とする表示方法。
【請求項９】
請求項１乃至６のいずれか１項に記載の表示システムの各手段としてコンピュータを機能させるためのプログラム。
【発明の詳細な説明】
【技術分野】
【０００１】
本発明は、表示装置及び表示方法に関するものである。
【背景技術】
【０００２】
近年、撮像装置のＨＤＲ（Ｈｉｇｈ  Ｄｙｎａｍｉｃ  Ｒａｎｇｅ）対応技術の向上は目覚ましく、それに伴い表示装置のＨＤＲ対応技術に関しても数多く提案がなされている。従来のＳＤＲ（Ｓｔａｎｄａｒｄ  Ｄｙｎａｍｉｃ  Ｒａｎｇｅ）ディスプレイであれば、１００ｃｄ／ｍ２の輝度で表示を行うのが一般的であったが、ＨＤＲ対応ディスプレイでは１０００ｃｄ／ｍ２、２０００ｃｄ／ｍ２といった表示輝度が求められる。このような従来に比べ高い表示輝度を達成するためには、光源を従来よりも明るく発光させる必要があり、そのためには大きな電力を必要とする。
一方で、ＨＤＲ対応の映像コンテンツ制作であっても、１０００ｃｄ／ｍ２、２０００ｃｄ／ｍ２といった輝度が必要なフレームは映像コンテンツ全体に対して少なく、また１フレームの中でも限られた領域であることが多い。このため、消費電力と必要表示輝度の両面から、フレーム内の電力を一定以下に制限することが多い。
【０００３】
通常のディスプレイの場合、映像コンテンツのＡＰＬ（Ａｖｅｒａｇｅ  Ｐｉｘｅｌ  Ｌｅｖｅｌ）と表示装置の消費電力は比例関係にあるため、ＡＰＬに応じて表示可能な最大輝度を制限することで消費電力を制限する手法が一般的に行われている。例えば、図７のような、ＡＰＬ４０％まで最高輝度で表示できるディスプレイでは、ＡＰＬ４０％（例えば表示領域の４０％が白で、その他の領域が黒）であれば、白をディスプレイの最高輝度である１２００ｃｄ／ｍ２で表示させることができる。
一方、画面全体が白色（ＡＰＬ１００％）では、白の輝度は６００ｃｄ／ｍ２となるように表示輝度が制限される。
このときのディスプレイの消費電力を図８に示す。図８に示すように、ディスプレイの消費電力は、ＡＰＬ４０％〜ＡＰＬ１００％まで一定である。 
なお、関連する従来例が開示された文献としては、非特許文献１，２がある。
【先行技術文献】
【非特許文献】
【０００４】
【非特許文献１】ＶＥＳＡ  ＥＮＨＡＮＣＥＤ  ＤＩＳＰＬＡＹ  ＩＤＥＮＴＩＦＩＣＡＴＩＯＮ  ＤＡＴＡ  ＳＴＡＮＤＡＲＤ
【非特許文献２】ＣＥＡ−８６１．３  ＨＤＲ  Ｓｔａｔｉｃ  Ｍｅｔａｄａｔａ  Ｅｘｔｅｎｓｉｏｎｓ
【発明の概要】
【発明が解決しようとする課題】
【０００５】
従来のような電力制限制御を行うディスプレイでは、映像コンテンツの各フレームのＡＰＬに応じて、同一階調値の画素であってもフレームによって表示輝度が変わることになる。通常の映像コンテンツ視聴では、ＡＰＬが高い画像において、映像コンテンツの想定する輝度よりディスプレイの表示輝度が低くなっても問題になることは少ない。
しかしながら、ＡＰＬが高いフレームを含む映像コンテンツをカラーグレーディングするような場合、同一の階調値を持つ画素の表示輝度がフレームによって変わってしまい、カラーグレーディングが困難になる場合がある。
予め電力制限を行わないモードで表示すれば、このような課題は発生しないが、その場合、最高輝度がＡＰＬ１００％時に表示可能な輝度に制限されてしまう（図７の例では６００ｃｄ／ｍ２）。
【０００６】
同一の階調値を持つ画素の表示輝度が変化しないようにするには、映像コンテンツに含まれる全フレームのＡＰＬを計算、又は予測し、そのＡＰＬで電力制限制御が行われないようにディスプレイの最高輝度を設定する必要があるものと考えられる。
例えば、最大のＡＰＬが６０％の映像コンテンツの場合、図７の例では、電力制限制御によりＡＰＬが６０％のフレームでは最高輝度が１２００ｃｄ／ｍ２から１０００ｃｄ／ｍ２に低下してしまう。そこで、予めディスプレイの最高輝度を１０００ｃｄ／ｍ２に制限しておけば、１０００ｃｄ／ｍ２を超える表示はできないが、電力制限制御は行われず、同一階調の画素の輝度がフレームによって変わることはない。
しかし、この設定をユーザが行うには、ディスプレイの電力制限制御の特性と、映像コンテンツのＡＰＬを把握する必要があり、非常に困難であるため、送出装置とディスプレイで連携することが望まれる。
【０００７】
従来、ディスプレイの性能に合わせて送出装置の送出する信号を変化させる、あるいはディスプレイの設定を変える技術として、ＥＤＩＤ（Ｅｘｔｅｎｄｅｄ  Ｄｉｓｐｌａｙ
ｉｄｅｎｔｉｆｉｃａｔｉｏｎ  Ｄａｔａ）がある。
非特許文献１によれば、ＥＤＩＤを用いると、ディスプレイの表示解像度等の表示性能を送出機側が取得でき、表示可能な解像度で画像送出が可能となる。
ＨＤＲ映像コンテンツのメタデータの規格である非特許文献２によれば、送出機から映像コンテンツ全体の最高輝度、最大ＡＰＬ等の情報を付加して送出することができ、このメタデータを使用することによりディスプレイ側で表示設定を変えることができる。
しかし、非特許文献１、２では、電力制限制御特性に基づくディスプレイの最高輝度を調整する規格がなく、このような文献に基づいて、上述した課題である、同一の階調値を持つ画素の表示輝度が変化しないように表示することができない。
【０００８】
本発明は、消費電力を制限する機能を有する表示装置において、複数の画像を順次表示する場合であって、複数の画像に消費電力の制限が必要となる画像が含まれる場合に、同一の階調値を持つ画素の表示輝度が画像間で変化することを抑えることを目的とする。
【課題を解決するための手段】
【０００９】
本発明の第１態様は、
画像の代表輝度が所定値より大きい場合に、表示部の最高輝度を抑えて消費電力を制限する制限制御を実行可能な表示システムにおいて、
複数の画像が前記表示部に順次表示される場合であって、前記複数の画像が、代表輝度が前記所定値より大きい画像を含む場合に、前記制限制御が実行されることなく前記複数の画像を表示することができる前記表示部の最高輝度の設定値を決定する決定手段と、
前記複数の画像を前記表示部で表示する際の前記表示部の最高輝度を、前記決定手段で決定された前記表示部の最高輝度の設定値に設定する設定手段と、
を有することを特徴とする表示システムである。
【００１０】
本発明の第２態様は、
画像の代表輝度が所定値より大きい場合に、表示部の最高輝度を抑えて消費電力を制限する制限制御を実行可能な表示装置を用いた表示方法において、
複数の画像が前記表示部に順次表示される場合であって、前記複数の画像が、代表輝度が前記所定値より大きい画像を含む場合に、前記制限制御が実行されることなく前記複数の画像を表示することができる前記表示部の最高輝度の設定値を決定する決定ステップと、
前記複数の画像を前記表示部で表示する際の前記表示部の最高輝度を、前記決定ステップで決定された前記表示部の最高輝度の設定値に設定する設定ステップと、
を含むことを特徴とする表示方法である。
【００１１】
本発明の第３の態様は、
上述した表示システムの各手段としてコンピュータを機能させるためのプログラムである。
【発明の効果】
【００１２】
本発明によれば、消費電力を制限する機能を有する表示装置において、複数の画像を順次表示する場合であって、複数の画像に消費電力の制限が必要となる画像が含まれる場合に、同一の階調値を持つ画素の表示輝度が画像間で変化することを抑えることができる。
【図面の簡単な説明】
【００１３】
【図１】実施例１の表示システムを説明するためのブロック図
【図２】実施例１の電力制限に伴う輝度変化の関係の一例を示す図
【図３】実施例１の表示画像の画素値と表示輝度と電力の関係を示す図
【図４】実施例１のディスプレイの最高輝度の決定方法を説明するフローチャート
【図５】実施例１の電力制限制御特性情報について説明するための図
【図６】実施例２の表示システムを説明するためのブロック図
【図７】従来の電力制限動作を説明するための図
【図８】従来の電力制限動作を説明するための図
【発明を実施するための形態】
【００１４】
以下、この発明を実施するための形態を図面を参照して例示的に説明する。ただし、以下の実施形態に記載されている各種制御の手順、制御パラメータ、設定値などは、特に特定的な記載がない限りは、この発明の範囲をそれらのみに限定する趣旨のものではない。
本発明は表示輝度を変更して消費電力を一定以下に制限する電力制限制御を実行可能な表示システムに関し、特に電力制限制御によって映像コンテンツの同一階調値の画素の輝度がフレーム間で変化しないようにディスプレイの最高輝度を設定する技術に関する。
表示システムには、例えば、液晶表示装置、有機ＥＬ（Ｅｌｅｃｔｒｏ  Ｌｕｍｉｎｅｓｃｅｎｃｅ）表示装置、プラズマ表示装置、ＭＥＭＳ（Ｍｉｃｒｏ  Ｅｌｅｃｔｒｏ  Ｍｅｃｈａｎｉｃａｌ  Ｓｙｓｔｅｍ）シャッタ方式表示装置、等が含まれる。
【００１５】
（実施例１）
以下、実施例１について説明する。
図１は、本実施例の表示システム１０を説明するためのブロック図である。
本実施例の表示システム１０は、画像送出部１００とディスプレイ２００を有する。ここで、画像送出部１００とディスプレイ２００は、一体の装置であってもよいし、別体の装置であってもよい。
画像送出部１００は、蓄積した映像コンテンツをディスプレイ２００に対して送出する。
映像コンテンツ蓄積部１０１は、図示しない画像入力部から入力された映像コンテンツを蓄積し、ユーザの指示に応じて映像コンテンツを読み出してメタデータ重畳部１０２、ＡＰＬ計算部（算出部）１０４に出力する。
メタデータ重畳部１０２は、映像コンテンツ蓄積部１０１からの画像信号に対し、後述するディスプレイ最高輝度決定部１０５で設定されるディスプレイの最高輝度情報をメタデータとして映像コンテンツに重畳し、画像出力部１０３に出力する。
画像出力部１０３は、メタデータ重畳部１０２から受け取った映像コンテンツを画像信号としてディスプレイ２００に出力する。
【００１６】
ＡＰＬ計算部１０４は、映像コンテンツ全体を解析し、各画像（以下、フレームという場合がある）のＡＰＬを計算する。さらにＡＰＬ計算部１０４は、映像コンテンツに含ま
れる全ての画像（例えば、３０ｆｐｓの長さ１０秒の映像コンテンツの場合は、３００フレームの画像が含まれている。）のＡＰＬを比較し、映像コンテンツ全体で最も大きいＡＰＬ（以下、最大ＡＰＬ）を算出する。ＡＰＬ計算部１０４は最大ＡＰＬ情報をディスプレイ最高輝度決定部１０５に出力する。
ディスプレイ最高輝度決定部１０５は、映像コンテンツを電力制限制御することなく表示するためのディスプレイの最高輝度を決定し、メタデータ重畳部１０２に出力する。ディスプレイの最高輝度は、たとえば、ＡＰＬ計算部１０４からの最大ＡＰＬ情報と、電力制限制御特性要求部１０６から受け取るディスプレイ２００の電力制限制御特性情報に基づいて決定される。
ディスプレイの最高輝度の決定方法については後述する。
【００１７】
電力制限制御特性要求部１０６は、画像送出部１００とディスプレイ２００の接続を検出すると、ディスプレイ２００の電力制限制御特性送出部２０５に対して電力制限制御特性情報を要求する。
また電力制限制御特性要求部１０６は、ディスプレイ２００の電力制限制御特性送出部２０５から受け取った電力制限制御特性情報をディスプレイ最高輝度決定部１０５に出力する。
電力制限制御特性要求部１０６と電力制限制御特性送出部２０５の接続は任意でよく、例えばＬｏｃａｌ  Ａｒｅａ  Ｎｅｔｗｏｒｋ（ＬＡＮ）等で実現できる。
ディスプレイ２００は、画像送出部１００から受け取った画像信号を表示する。
画像入力部２０１は、画像出力部１０３から画像信号を受け取り、メタデータと画像信号を分離したうえでメタデータをディスプレイ最高輝度設定部２０３に出力し、画像信号を電力制限制御部２０２に出力する。
【００１８】
電力制限制御部２０２は、画像入力部２０１からの画像信号を受け、画像信号を表示部２０４に表示するための発光情報に変換したうえで、当該発光情報で表示部２０４を発光させた場合の消費電力を計算する。
画像表示の発光制御の形式は特に限定されるものではない。例えば直下型バックライトを使用した液晶ディスプレイにおいては、バックライトにＬＥＤを使用し、ＰＷＭ（Ｐｕｌｓｅ  Ｗｉｄｔｈ  Ｍｏｄｕｌａｔｉｏｎ）で輝度を制御するのが一般的であり、本実施例でもこの形式を用いて説明する。ただし、バックライトの駆動電流値を調整することにより発光輝度を制御してもよい。また、有機ＥＬディスプレイ等の自発光型ディスプレイの発光制御にも適用可能である。
バックライトに使用されるすべてのＬＥＤのＰＷＭ制御値が決まると、バックライトで消費する電力が計算できるため、その結果とバックライトの消費電力の上限との比較を行うことで電力制限が必要かどうかを判断することができる。バックライトに許容される電力よりもバックライトで消費する電力が大きい場合、電力制限制御が必要となる。このような場合には、電力制限制御部２０２はバックライトに許容される消費電力となるまでＬＥＤのＰＷＭ制御値（具体的にはデューティー比）を小さくすることで電力制限を行う。バックライトを構成する複数のＬＥＤのＰＷＭ制御値を個別に制御することも可能だが、本実施例では制御を簡単にするため、許容電力に収まるまで画面全体のＬＥＤのＰＷＭ制御値を一律に小さくすることとする。
これは、電力制限が必要になった場合には画面内のすべての画素の輝度値が一律に小さくなる（暗くなる）ことと等価である。
【００１９】
以下、図２、図３（Ａ）、図３（Ｂ）を用いて、電力制限制御部２０２の動作について説明する。
図２は、電力制限に伴う輝度変化の関係の一例を示す図である。
図２では、表示画像のＡＰＬが４０％（所定値）以下であればディスプレイの表示可能な最高輝度である１２００ｃｄ／ｍ２の表示が可能であり、ＡＰＬが４０％を超えると徐
々に輝度が低下することが示されている。
【００２０】
図３（Ａ）、図３（Ｂ）は、図２におけるＡＰＬ４０％時とＡＰＬ１００％時の、表示画像の画素値と表示輝度と電力の関係を示す図である。
図３（Ａ）はＡＰＬが４０％のときの一例を示し、画素値と表示輝度と電力は、図３（Ａ）の実線Ｌ１００１のような関係となり、画素値２５５の領域は、１２００ｃｄ／ｍ２の表示輝度で表示され、このときの電力は６００Ｗである。なお、本実施例においては画素の階調を８ｂｉｔ（０から２５５）で表現するものとして説明するが、これに限るものではなく、階調の段階に制限はない。
図３（Ｂ）は、ＡＰＬが１００％のときの一例を示し、画素値２５５の領域を１２００ｃｄ／ｍ２で表示するためには、電力１２００Ｗが必要となる。このときの画素値と表示輝度と電力の関係は、図３（Ｂ）の点線Ｌ１００２のような関係となる。
これに対して、バックライトの消費電力を６００Ｗに制限するために、画面内のすべての画素の輝度を一律に低下させ、図３（Ｂ）に実線Ｌ１００３で示す関係に従い表示を行う。このことで、画素値２５５の領域は、６００ｃｄ／ｍ２の表示輝度で表示される。この際の電力は６００Ｗとなる。
【００２１】
特に指示のない限り電力制限制御部２０２の電力制限制御はフレーム単位で行われ、あるフレームで電力制限制御が働いても、次のフレームで電力制限が不要となれば電力制限は行われない。
電力制限制御部２０２はまた、ディスプレイ最高輝度設定部２０３からの指示に従い、ディスプレイ２００の最高輝度の設定値を変更することができる。本実施例では、ディスプレイの最高輝度の設定値はディスプレイ最高輝度設定部２０３からの指示以外では変更されないものとし、１２００ｃｄ／ｍ２であるものとする。ディスプレイ最高輝度設定部２０３から指示のあった場合は、対象となるフレームを表示する際のディスプレイの最高輝度を、指示された値に変更する。
電力制限制御部２０２はまた、電力制限制御特性送出部２０５からの要求に応じて電力制限制御特性情報を電力制限制御特性送出部２０５に出力する。
【００２２】
ディスプレイ最高輝度設定部２０３は、画像入力部２０１から受け取ったメタデータを解析し、ディスプレイの最高輝度情報を読み出したうえで電力制限制御部２０２に出力する。
表示部２０４は、本実施例では上述の通り複数のＬＥＤで構成される直下型バックライトを持つ液晶ディスプレイを想定し、電力制限制御部２０２からの画像信号及び発光情報を用いて画像を表示する。
電力制限制御特性送出部２０５は、画像送出部１００の電力制限制御特性要求部１０６からの要求に応じて、電力制限制御部２０２から電力制限制御特性情報を読み出し、画像送出部１００の電力制限制御特性要求部１０６に対して出力する。
【００２３】
次に、ディスプレイの最高輝度の決定方法について図４を用いて詳細に説明する。図４は、本実施例のディスプレイの最高輝度の決定方法について説明するためのフローチャートである。
画像送出部１００とディスプレイ２００とが接続されると、電力制限制御特性要求部１０６はディスプレイ２００の電力制限制御特性送出部に対し電力制限制御特性情報の送出を要求する（ステップＳ２００１）。
ここで、電力制限制御特性情報について説明する。図５は、電力制限制御特性情報について説明するための図である。
【００２４】
図５に示すように、電力制限制御特性情報は、表示する映像コンテンツのＡＰＬ（％）と、ディスプレイの最高輝度の設定値（ｃｄ／ｍ２）に対し、電力制限制御によって実際
の最高表示輝度がどのようになるかの対応関係を示すものである。
図５の太線で囲まれた領域が、電力制限制御されずにディスプレイの最高輝度の設定値通りに表示可能な領域である。図５に示すように、ディスプレイの最高輝度の設定値が１２００ｃｄ／ｍ２の場合、映像コンテンツのＡＰＬが１０％から４０％であれば、電力制限制御されず、画素値２５５の領域は１２００ｃｄ／ｍ２で表示される。同様に、ディスプレイの最高輝度の設定値が１０００ｃｄ／ｍ２であればＡＰＬ６０％まで、８００ｃｄ／ｍ２であればＡＰＬ８０％まで電力制限制御されずに表示できる。このように、図５では、映像コンテンツのＡＰＬに対して、電力制限制御されずに映像コンテンツの画像を表示することができるディスプレイの最高輝度の設定値が対応付けられている。
【００２５】
図５の太線の外側は電力制限制御されることで実際に表示される画素値２５５の領域の輝度が、ディスプレイが表示可能な最高輝度（１２００ｃｄ／ｍ２）から下がってしまう領域である。例えば映像コンテンツのＡＰＬが６０％で、ディスプレイの最高輝度が１２００ｃｄ／ｍ２に設定されている場合、実際の画素値２５５の領域の輝度は１０００ｃｄ／ｍ２となり、２００ｃｄ／ｍ２下がる。同様に、映像コンテンツのＡＰＬが８０％でディスプレイの最高輝度が１０００ｃｄ／ｍ２に設定されている場合、実際の画素値２５５の領域の輝度は８００ｃｄ／ｍ２となり、２００ｃｄ／ｍ２下がる。
図５に示すような情報をディスプレイ２００から画像送出部１００に対して送出しておくことで、画像送出部１００から送出する映像コンテンツの最大ＡＰＬに応じてディスプレイの最高輝度の設定値を変更することが可能となる。
【００２６】
次に、画像送出部１００は、送出する映像コンテンツの最大ＡＰＬをＡＰＬ計算部１０４で計算する（ステップＳ２００２）。最大ＡＰＬ計算処理は、蓄積されている映像コンテンツ毎に予め計算しておくことが望ましい。
ディスプレイ最高輝度決定部１０５は、映像コンテンツ送出開始前に、取得済みの電力制限制御特性情報と、映像コンテンツの最大ＡＰＬを用いて、当該映像コンテンツ表示時に電力制限制御がなされるかどうかを判断する（ステップＳ２００３）。具体的には、図５の電力制限制御特性情報を用いて、映像コンテンツの最大ＡＰＬを表示した際にディスプレイが表示可能な最高輝度（本実施例では１２００ｃｄ／ｍ２）で表示可能かどうかを判断する。例えば映像コンテンツの最大ＡＰＬが４０％を超える場合には電力制限制御され、最高輝度では表示不可（ステップＳ２００３でＹｅｓ）であり、４０％以下であれば、電力制限制御されず最高輝度で表示可能（ステップＳ２００３でＮｏ）となる。
電力制限制御されないと判断された場合（ステップＳ２００３でＮｏ）、ディスプレイ最高輝度決定部１０５は、ディスプレイの最高輝度の設定値として表示可能な最高輝度（本実施例では１２００ｃｄ／ｍ２）を設定する（ステップＳ２００４）。そして、ディスプレイ最高輝度決定部１０５は、設定した最高輝度に関する情報をメタデータ重畳部１０２に通知する。
【００２７】
電力制限制御されると判断された場合（ステップＳ２００３でＹｅｓ）、ディスプレイ最高輝度決定部１０５は映像コンテンツの最大ＡＰＬで電力制限されないディスプレイの最高輝度の設定値を決定し（ステップＳ２００５）、メタデータ重畳部１０２に通知する。具体的には、図５のような電力制限制御特性情報を用いて、映像コンテンツの最大ＡＰＬを表示した際に電力制限制御されないディスプレイの最高輝度の設定値を決定する。つまり、当該映像コンテンツの最大ＡＰＬで図５の太線内となる最も大きい値を、ディスプレイの最高輝度の設定値に決定する。例えば、映像コンテンツの最大ＡＰＬが６０％の場合、ディスプレイが表示可能な最高輝度が１２００ｃｄ／ｍ２の場合は電力制限制御が働き、実際の画素値２５５の領域の輝度は１０００ｃｄ／ｍ２となり、２００ｃｄ／ｍ２下がる。このため、図５の太線内の最も大きいディスプレイの最高輝度の設定値１０００ｃｄ／ｍ２を選択する。同様に、映像コンテンツの最大ＡＰＬが８０％の場合、ディスプレイが表示可能な最高輝度が１２００ｃｄ／ｍ２の場合は電力制限制御が働き、実際の画素
値２５５の領域の輝度は８００ｃｄ／ｍ２となり、４００ｃｄ／ｍ２下がる。このため、図５の太線内の最も大きいディスプレイの最高輝度の設定値８００ｃｄ／ｍ２を選択する。
このように図４に示す処理により、映像コンテンツ表示時に電力制限制御されるかどうかを判断し、電力制限制御されると判断した場合に、映像コンテンツの最大ＡＰＬで電力制限されないディスプレイの最高輝度の設定値を決定している。
【００２８】
以上説明したように、本実施例の方法によれば、電力制限制御を行う表示装置において、ディスプレイの電力制限制御特性情報と映像コンテンツの最大ＡＰＬに基づいてディスプレイの最高輝度を変更することができる。これにより、複数の画像（フレーム）を順次表示する場合であって、複数の画像に消費電力の制限制御が必要となる画像が含まれる場合に、同一の階調値を持つ画素の表示輝度がフレーム間で変化することを抑えることが可能となる。
なお、本実施例では、映像コンテンツは予め蓄積されており、ＡＰＬの計算も予めなされているものとして説明したが、これに限るものではない。撮影時のＡＰＬから予めロケーションハンティング等で最大ＡＰＬを予測し、ディスプレイの最高輝度の設定値を決定してもよい。
また、本実施例では、ディスプレイの最高輝度の設定値は画像送出部からの指示以外では変更されないものとしたが、これに限るものではなく、ユーザが変更可能としても良い。その場合は、電力制限制御特性情報と共に現在のディスプレイの最高輝度の設定値もディスプレイから画像送出部に対し送出するとよい。
また、本実施例では、ディスプレイの最高輝度を決定する際、ＡＰＬを用いるものであったが、これに限るものではなく、フレームの輝度の特徴を表す輝度の特徴量（代表輝度）を用いるものであればよい。そして、映像コンテンツに含まれる複数の画像（フレーム）のうちの代表輝度の最大値（最大代表輝度）に基づいて、ディスプレイの最高輝度の設定値を決定すればよい。代表輝度としては、輝度の平均値（平均輝度、ＡＰＬ）よりも所定値だけ高い値や低い値等を用いてもよい。
【００２９】
（実施例２）
以下、実施例２について説明する。
実施例１の表示システム１０は、画像送出部１００とディスプレイ２００を有するものであった。これに対して本実施例の表示システムでは、ディスプレイ３００が、実施例１の画像送出部１００の主要機能である、映像コンテンツ蓄積部、ＡＰＬ計算部、ディスプレイ最高輝度決定部を有する形態について説明する。なお、以下では、実施例１と異なる構成や処理について説明し、実施例１と同様の構成や処理についての説明は省略する。
【００３０】
図６は、本実施例の表示システムを説明するためのブロック図である。
ディスプレイ３００は、外部から入力した映像コンテンツをそのまま表示する、又は蓄積し、ユーザの指示に従って再生表示する。
画像入力部３０１は、図示しない外部の画像信号源からの画像を受信し、スイッチ３０２に出力する。
また、画像入力部３０１は、ユーザの指示に応じて、映像コンテンツ蓄積部３０３に対して受信した画像を出力する。
スイッチ３０２は、ユーザの指示に応じて、表示部２０４に表示する画像を画像入力部３０１からの画像と、映像コンテンツ蓄積部３０３からの再生画像とを切り替える。
映像コンテンツ蓄積部３０３は、画像入力部３０１から入力された画像を蓄積し、ユーザの指示に応じて再生画像をスイッチ３０２及びＡＰＬ計算部３０４に対して出力する。
【００３１】
ＡＰＬ計算部３０４は、実施例１における画像送出部１００のＡＰＬ計算部１０４と同一の動作を行い、最大ＡＰＬをディスプレイ最高輝度決定部３０５に出力する。
ディスプレイ最高輝度決定部３０５は、ＡＰＬ計算部３０４から受け取った最大ＡＰＬと、電力制限制御部２０２から受け取る電力制限制御特性情報を用いて、ディスプレイの最高輝度を決定する。このとき、実施例１における画像送出部１００のディスプレイ最高輝度決定部１０５と同一の手法で、ディスプレイの最高輝度を決定する。
そして、ディスプレイ最高輝度決定部３０５は、決定したディスプレイの最高輝度をディスプレイ最高輝度設定部２０３に出力する。
【００３２】
以上説明したように、本実施例においても、複数の画像を順次表示する場合であって、複数の画像に消費電力の制限制御が必要となる画像が含まれる場合に、同一の階調値を持つ画素の表示輝度が画像間で変化することを抑えることが可能となる。
【００３３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３４】
１００…画像送出部、１０５…ディスプレイ最高輝度決定部、２００…ディスプレイ、２０２…電力制限制御部、２０３…ディスプレイ最高輝度設定部
【図１】
2019109398.tif 000003
【図２】
2019109398.tif 000004
【図３】
2019109398.tif 000005
【図４】
2019109398.tif 000006
【図５】
2019109398.tif 000007
【図６】
2019109398.tif 000008
【図７】
2019109398.tif 000009
【図８】
2019109398.tif 000010